(57)【要約】      （修正有）【課題】通常の排便処理を行うことができない人の肛門に装着して、装着者および介護者による排便処理を僅かな労力で簡単に行うことができ、トイレを使用できるようにし、寝たきりの人の排便処理として、肛門用排泄物通過カテーテルを提供する。【解決手段】筒体１の先端部位はドーナツ状に形成したバルーン３を備え、肛門の外側には薄肉で伸縮性のある筒体１と風船のように膨張する袋体２が着脱できる連結部４と筒体１には連結部ストッパー５を備え、筒体1の連結部４附近より筒体１に沿って延びるチューブ６がバルーン３に連通した状態の筒体１側を、肛門より挿入し、チューブ弁７を介してバルーン３内に空気または蒸留水を圧入および引き抜きすることで、バルーン３が膨脹および収縮でき、一端を固定でき、筒体１の連結部４に密接に着脱できる袋体２を備え、筒体１の連結部４にストッパー５を備えた肛門用排泄物通過カテーテル。【選択図】図１
2005125031.tif 000002
【特許請求の範囲】
【請求項１】
薄肉で伸縮性のある筒体と風船のように膨張する袋体からなり、筒体の先端部位はドーナツ状に形成したバルーンを備え、肛門の外側には筒体と袋体が密接に着脱できる連結部と連結部ストッパーを備え、筒体の連結部附近より筒体に沿って延びるチューブがバルーンに連通した状態の筒体側を、肛門内直腸下端および肛門直腸輪に位置し得るように肛門より挿入し、チューブ弁を介してチューブまたは蒸留水路より空気または蒸留水がバルーン内に圧入および引き抜きすることで、バルーンが膨脹および収縮でき、一端を固定でき、装着者および介護者等は風船のように膨張する袋体を予備携帯する程度で、おむつやパウチ材を必要としない連結部ストッパーを備えた肛門用排泄物通過カテーテル。
【請求項２】
バルーンの空気または蒸留水を抜いた状態でバルーンを肛門内に挿入し、筒体の連結部は肛門の外側に位置し、連結部に設けたチューブ弁を介してチューブまたは蒸留水路より空気または蒸留水をバルーン内に圧入し、バルーンを膨脹させて肛門内壁に圧接し、一端が固定され、薄肉で伸縮性のある筒体と風船のように膨張する袋体と連結部ストッパーは密接に着脱できる連結部を有し、おむつやパウチ材を必要とせず、トイレを使用するようになり装着者および介護者等による排便処理を簡単に行うことのできる勘合機巧（嵌め込み、捩じ込み、捲き込み等）を設けた請求項１記載の肛門用排泄物通過カテーテル。
【請求項３】
寝たきりの人、便意はあるが動けない人、老人を看護する病院や老人施設のように多数の寝たきりの老人がいる所の便失禁者の場合の排便処理に対して、紙おむつ、布おむつ、差し込み便器、排便のできる特殊なベッド、又は、臀部にパウチを貼り付け、おむつの代わりにパウチで処理する方法等、交換は非常な労力と時間がかかり、排泄後の肛門部の処理は相当の手間を必要とするが、おむつやパウチ材を使用せず、僅かな労力で簡単に行え、筒体の肛門内固定も極めて容易で特殊な取扱い技術を必要とせず、肛門部分の生体機能になんの障害も与えないようにする薄肉で伸縮性のある筒体と風船のように膨張する袋体を一体にした請求項１記載の肛門用排泄物通過カテーテル。
【発明の詳細な説明】
【技術分野】
【０００１】  本発明は、通常の排便処理を行うことができない人のために、薄肉で伸縮性のある筒体と風船のように膨張する袋体を用意し、筒体を肛門内の直腸下端および肛門直腸輪に位置し得るように挿入し、筒体の先端部位にはドーナツに形成したバルーンを備え、筒体の連結部に設けたチューブ弁を介してチューブまたは蒸留水路より空気または蒸留水をバルーン内に圧入でき、バルーンを膨脹させて肛門内壁に圧接し、一端が固定され、寝たきりの人の排便処理として、便失禁者の場合および便意はあるが動けない人の場合は筒体と袋体の一体のものを使用でき、筒体の肛門内固定も極めて容易で特殊な取扱い技術を必要とせず、肛門部分の生体機能になんの障害も与えず、装着者および介護者等による排便処理を簡単に行うことができ、袋体は予備携帯する程度で、トイレを使用できるようにする筒体に連結部ストッパーを備える肛門用排泄物通過カテーテルに関する。
【背景技術】
【０００２】  寝たきりの人の排便処理として、便失禁者の場合は殆どが紙おむつ、布おむつで処理され、便意はあるが動けない人の場合もおむつ又は差し込み便器、排便のできる特殊なベッドで処理されている。又、臀部にパウチを貼り付け、おむつの代わりにパウチで処理する方法が用いられている。更に、開口部を細長く形成した袋体の開口部周縁に弾性リングを設け、弾性リングを変形させて袋体の開口部を肛門から人体内に挿入し、弾性リングで肛門内に固定するものも提案されている。【０００３】  主として老人を看護する病院や老人施設のように多数の寝たきりの老人がいる所では、上述のおむつや便器の交換は非常な労力と時間がかかり、特殊なベッドは設備費がかかる上、排泄後の肛門部の処理には同様に相当の手間を要する。パウチを利用する方法の交換は比較的簡単であるが、粘着剤を使用するため粘着剤による皮膚障害を起こす可能性があり、もともと皮膚の弱い老人には好ましいものではなく、それなりの対応を必要とする。弾性リングで袋体を固定する方法は、弾性リングの挿入、取外しに高度の技術を要し、常時ある太さのガイドが肛門に挿入されているので、違和感が大きく、ガイドを長く挿入し続けると肛門括約筋の機能を低下させる危険性があり、更に排便毎、または一定量の排便があったときは装具全体を取り換える必要があり、排便後の処理が同様に厄介である。
【発明の開示】
【発明が解決しようとする課題】
【０００４】  本発明の目的は、通常の排便処理を行うことができない人の肛門に装着して、薄肉で伸縮性のある筒体と風船のように膨張する袋体と連結部に備えたストッパーを使用し、袋体は予備携帯する程度にし、トイレが使用できるようにし、寝たきりの人の排便処理として、便失禁者の場合および便意はあるが動けない人の場合は筒体と袋体の一体のものを使用し、装着者および介護者による排便処理を僅かな労力で簡単に行うことができ、肛門部分の生体機能になんの障害も与えないようにした筒体に連結部ストッパーを備える肛門用排泄物通過カテーテルを提供することにある。
【課題を解決するための手段】
【０００５】  上述の目的を達成するため、本発明の肛門用排泄物通過カテーテルは、肛門内直腸下端および肛門直腸輪に位置し得るように、ドーナツ状に形成したバルーンと、バルーンに一端を固定し薄肉で伸縮性のある筒体と、筒体と風船のように膨張する袋体との間は、勘合機巧（嵌めこみ、捩じ込み、捲き込み等）により密接に着脱でき、筒体と袋体も個々に連結部を有し、筒体は連結部ストッパーを備え、筒体の連結部附近より筒体に沿って延びるチューブがバルーンに連通した状態と、筒体の連結部に密接に着脱できる袋体とを備え、筒体の連結部にストッパーを備えたことにより、袋体は予備携帯する程度になり、トイレを使用できるようになり、バルーンに連通し筒体に沿って連結部まで延びるチューブを備えたことにより、チューブ弁を介してバルーン内に空気または蒸留水を圧入し、バルーンを膨脹させ、チューブ弁を介してバルーン内の空気または蒸留水を引き抜きバルーンが収縮できるようになっている。【０００６】  本発明の肛門用排泄物通過カテーテルは、バルーンの空気または蒸留水を抜いた状態でバルーンを肛門内に挿入し、筒体の連結部は肛門の外側に位置するようにし、チューブ弁より空気または蒸留水をバルーン内に圧入し、バルーンを膨脹させて肛門内壁に圧接して筒体の連結部ストッパーを使用することで、装着者は便意を予感するまでは袋体を必要とせず、予備携帯する程度になり、トイレを使用できるようになる。
【発明の効果】
【０００７】  本発明によれば、通常の排便処理を行うことができない人の肛門に装着して、筒体に備えたストッパーを使用することにより、袋体は予備携帯する程度になり、トイレを使用できるようになり、装着者および介護者による排便処理は僅かな労力で簡単に行うことができるようになり、肛門部分の生体機能になんの障害も与えないようにし、寝たきりの人の排便処理についても排便時の処理としては袋体を筒体の連結部に装着する一体のものを使用することで介護に要する労力が著しく低減し、バルーンを使用した筒体の肛門内固定も極めて容易で特殊な取扱い技術を必要とせず、バルーンによる圧着力と、薄肉で伸縮性のある筒体による付着力とにより、確実な固定力を得ることができ、しかも直腸、肛門に機能障害を生ずる危険性もなく、粘着パウチの場合のように局部の剃毛の必要もなく粘着剤によるかぶれの心配もなく、長時間にわたり快適に着用することができ、装着者および介護者双方に従来のものでは得られなかった利便性を提供するものである。【０００８】  本発明によれば、バルーンの空気または蒸留水を抜いた状態でバルーンを肛門内に挿入することにより、バルーンは抵抗なく肛門内に入り、筒体の一部は肛門内壁に沿って位置し、筒体の連結部と連結部ストッパーは肛門の外側に位置する。連結部まで延びるチューブ弁から空気または蒸留水が圧入されると、空気または蒸留水はバルーン内に充填されバルーンはドーナツ状に膨張する。バルーンの肛門内壁に加わる圧迫力が適切な値になると空気または蒸留水の圧入は止められ、この圧迫力によりバルーンは肛門内壁に固定される。筒体は肛門の括約筋により常時は圧迫されて閉じており、筒体の肛門外にある連結部には袋体が連結されるが、筒体の連結部に密接に着脱できる連結部ストッパーを使用することにより、袋体は予備携帯する程度にし、トイレを使用できるようにする。便意を予感した時点で、筒体の連結部より連結部ストッパーを外すことにより排便動作に入れ、便はバルーン中心部の開口を通り筒体内に入るが、筒体は薄肉で伸縮性があるため便により押しやられて肛門内壁に密着し、便はこの筒体内を容易に通過し、筒体の連結部の中心にある開口を通ってトイレに排泄するか予備携帯の風船のように膨張する袋体内に入る。排便が終了すると、筒体と袋体の連結部の中心にある開口部位を拭き取るか洗浄して連結部ストッパーをする。風船のように膨張する袋体を常時使用している場合は、筒体の連結部より取外し使用済みの袋体は廃棄される。筒体と袋体の一体したものを使用した場合はすべて廃棄する。筒体を肛門から取り外す場合は、チューブ弁によりバルーン内の空気または蒸留水を抜くことにより、バルーンは収縮し、抵抗なく肛門から引き出される。肛門用排泄物通過カテーテルの筒体側は２週間前後から３週間前後に使い捨てし、通常袋体は都度使い捨てする。一体したものを使用した場合は都度すべて廃棄する。
【発明の実施するための最良の形態】
以下に、本発明の実施の形態を図１にて説明する。
【０００９】  図１は、本発明の肛門用排泄物通過カテーテルの全体の構成図である。すなわち、薄肉で伸縮性のある筒体１と風船のように膨張する袋体２からなり、筒体１の先端部位はドーナツ状に形成したバルーン３を備え、肛門の外側では筒体１と袋体２が密接に着脱できる連結部４と勘合機巧（嵌めこみ、捩じ込み捲き込み等）８による連結部ストッパー５を備え、筒体１の連結部附近に設けたチューブ弁７より筒体１に沿って延びるチューブ６がバルーン３に連通した状態の筒体側を、肛門内直腸下端および肛門直腸輪に位置し得るように肛門より挿入し、チューブ弁７を介してバルーン３内に空気または蒸留水を圧入および引き抜きすることで、バルーン３が膨脹および収縮でき一端を固定でき、寝たきりの人の排便処理として、便失禁者の場合および便意はあるが動けない人の場合は筒体１と袋体２の一体連結部１３のものを使用し、装着者および介護者による排便処理を僅かな労力で簡単に行うことができ、肛門部分の生体機能になんの障害も与えないようにした筒体１と袋体２と連結部ストッパー５と一体連結部１３が設けられている。
【００１０】  バルーン３の空気または蒸留水を抜いた状態でバルーン３を肛門内に挿入し、筒体１の連結部は肛門の外側に位置し、チューブ弁７のチューブ６より空気または蒸留水をバルーン３内に圧入し、バルーン３を膨脹させて肛門内壁に圧接し、筒体１の連結部ストッパー５を使用することで袋体２およびおむつや粘着パウチを必要とせず、トイレを使用するようになり装着者および介護者等による排便処理を簡単に行うことができる。
【００１１】  薄肉で伸縮性のある筒体１と風船のように膨張する袋体２が密接に着脱できる連結部４は、筒体１の連結部１１と袋体２の連結部１２を嵌合機巧（嵌めこみ、捩じ込み、捲き込み等）９により連結できる。
【００１２】  薄肉で伸縮性のある筒体１と風船のように膨張する袋体２が密接に着脱できる連結部４は、脱着が簡単にできる。
【００１３】装着者がおむつ等を使用しないまま、歩行中もしくはトイレを使用する場合には連結部ストッパー５を必要とし、便意を予感した時点で、連結部に備えたストッパーを外すことにより排便動作に入れ、トイレを使用できる。
【００１４】  筒体１の連結部附近にチューブ弁７が設けられていて、チューブ６より空気または蒸留水をバルーン３内に圧入し、バルーン３を膨脹させて肛門内壁に圧接する。
【００１５】  肛門用排泄物通過カテーテルは、次のようにして装着される。先ずバルーン３に空気または蒸留水を充填しない状態でバルーン３と筒体１とチューブ６とを肛門内に押し込む。この場合バルーン３は膨脹していない状態で、筒体１、チューブ６は柔軟であるから、極めて容易に肛門内に挿入することができる。次いでチューブ弁７にポンプを接続し、チューブ６を介してバルーン３内に空気または蒸留水を送り込んでバルーン３を膨脹させ、バルーン３が肛門内直腸下端および肛門直腸輪の内壁に及ぼす圧力が適切な値となったところで空気または蒸留水の送入を止めると、バルーン３、筒体１及びチューブ６は肛門内に固定され抜けない状態となる。次に筒体１の連結部１１に連結部ストッパー５を連結すると、肛門内直腸下端および肛門直腸輪からバルーン３の中央開口９、筒体１の内部、連結部４の中央開口１０、の便通路が形成され、筒体１の連結部１１に袋体２の連結部１２を連結されると、肛門内直腸下端および肛門直腸輪からバルーン３の中央開口９、筒体１の内部、連結部４の中央開口１０、連結部４の中央開口１０を通り袋体２に至る便通路が形成される。
【００１６】  便意を予感すると、便は肛門内直腸下端からバルーン３の中央開口９を通り筒体１内に入る。肛門括約筋が開くと筒体１も開き、便は筒体１内を通過し袋体２に収納される。排便が終了すると肛門括約筋が閉じ、筒体１も閉じられる。排便があったときは、袋体２の連結部１２を筒体１の連結部１２から外すことにより袋体２のみを肛門から外すことができ、新しい袋体と交換することができる。肛門用排泄物通過カテーテルを肛門から外すときには、チューブ６を用いてバルーン３内の空気または蒸留水を抜き、バルーン３を収縮させれば、バルーン３、チューブ６及び筒体１は容易に外部に引き出すことができる。
【００１７】  バルーン３、筒体１及び連結部ストッパー５と袋体２の連結部附近に用いる材料としては、シリコーンゴム、フッ素等や、シリコーン、ポリウレタン等のゴム弾性のあるエラストマー等が適していて、それらは単独でも複合でもよいが筒体１及び連結部ストッパー５と袋体２の連結部分の一部分はプラスチック材使用になる。
【００１８】  バルーン３の肉厚は０．０２ｍｍから１．０ｍｍで、直腸内で使用されるときの膨らんだ状態は、外径は５０ｍｍ程度、内径は２５ｍｍから３５ｍｍ程度である。
【００１９】  筒体１の肉厚は０．０２ｍｍから０．１ｍｍで、長さは５０ｍｍから７０ｍｍ程度である。肛門括約筋の厚さは個人差があるが、その差は筒体１の伸縮性で補うことができる。なお、肛門括約筋が締まっているときは筒体１も閉じた状態になっているから、筒体１の肉厚は薄い程違和感が少ない。
【００２０】  連結部ストッパー５の肉厚は０．０２ｍｍから１．０ｍｍで、外径４５ｍｍ、内径３５ｍｍ程度で、形状は円、長円等を用いることができる。
【００２１】  チューブ６の肉厚は０．５ｍｍから１．０ｍｍ、内径は１ｍｍ、外径は２ｍｍから３ｍｍ、長さは筒体１全体の長さより短く４０ｍｍから６０ｍｍ程度である。
【００２２】  連結部４は、厚さ０．３ｍｍ、外径４５ｍｍ、内径３５ｍｍ程度で、形状は円、長円等を用いることができる。
【００２３】  風船のように膨張する袋体２の肉厚は０．０２ｍｍから１．０ｍｍで、体積は、５００ｇから２ｋｇ前後まで収納でき、円形、長円、四角等を用いることができる。
【００２４】  上述の例では、装着者が肛門括約筋機能を有するものとして説明したが、肛門括約筋の機能を失った人にも適用することができ、その場合は筒体１が括約筋で閉じられず常時開いている点が異なるだけで、肛門用排泄物通過カテーテル使用上の機能に差はない。
【図面の簡単な説明】
【００２５】
【図１】本発明の実施例の断面図である。
【符号の説明】
１  筒体
２  袋体
３  バルーン
４  連結部
５  連結部ストッパー
６  チューブ
７  チューブ弁
８  嵌合機巧
９  バルーンの中央開口部
１０  連結部の中央開口部
１１  筒体連結部
１２  袋体連結部
１３  一体連結部
【図１】
2005125031.tif 000003